(57)【要約】      （修正有）【課題】自動車のユーザーによる移動商取引を容易にする自動車、読取機及び方法を提供する。【解決手段】自動車８は、自動車８の内部に設置される読取機１を備え、読取機１は、非接触型クレジットカード若しくはスマートカード型クレジットカード又はＮＦＣ使用可能ハンドセットの少なくとも１つの購入手段データを読取ることが出来、読取機１はさらに、自動車８の無線通信インターフェース５に接続され、無線通信インターフェース５は、販売時点管理装置に購入手段データを送信する。【選択図】図１
2010061637.tif 000002
【特許請求の範囲】
【請求項１】
自動車の内部に設置される読取機を備える自動車であって、前記読取機が、非接触型クレジットカード若しくはスマートカード型クレジットカード又はＮＦＣ使用可能ハンドセットの少なくとも１つの購入手段データを読取ることが可能であり、前記読取機がさらに、前記自動車の無線通信インターフェースに接続され、前記無線通信インターフェースが、販売時点管理に前記購入手段データを送信することが可能である、自動車。
【請求項２】
前記無線通信インターフェースが、広域通信インターフェースである、請求項１に記載の自動車。
【請求項３】
前記無線通信インターフェースが、ＧＳＭインターフェース（グローバル・システム・フォー・モバイル・コミュニケーション）又はＵＭＴＳインターフェース（ユニバーサル・モバイル・テレコミュニケーション・システム）の１つである、請求項２に記載の自動車。
【請求項４】
前記無線通信インターフェースが、短距離通信インターフェースである、請求項１に記載の自動車。
【請求項５】
前記無線通信インターフェースが、ＮＦＣインターフェース（近距離無線通信）又はＢｌｕｅｔｏｏｔｈインターフェース又はＷＬＡＮインターフェース（無線ローカルエリアネットワーク）又はＩＳＯ１４４４３標準によるインターフェースまたはＩＳＯ１５６９３標準によるインターフェースの１つである、請求項４に記載の自動車。
【請求項６】
前記無線通信インターフェースが、前記自動車の側視ミラーに設置される、請求項１に記載の自動車。
【請求項７】
前記無線通信インターフェースが、前記自動車のドアパネルに設置される、請求項１に記載の自動車。
【請求項８】
前記自動車が、ディスプレイ装置を備え、且つ値段情報が、前記無線通信インターフェースによって送信される、請求項１に記載の自動車。
【請求項９】
自動車の内部に設置される読取機であって、前記読取機が、非接触型クレジットカード若しくはスマートカード型クレジットカード又はＮＦＣ使用可能ハンドセットの少なくとも１つの購入手段データを読取ることが可能であり、前記読取機がさらに、前記自動車の無線通信インターフェースに接続され、前記無線通信インターフェースが、販売時点管理に前記購入手段データを送信することが可能である、読取機。
【請求項１０】
自動車の内部の購入手段データの利用を容易にする方法であって、第１のステップにおいて、非接触型クレジットカード若しくはスマートカード型クレジットカード又はＮＦＣ使用可能ハンドセットの少なくとも１つの購入手段データが、読取機によって読取られ、第２のステップにおいて、前記購入手段データが、前記自動車の無線通信インターフェースを介して販売時点管理に送信される、方法。
【請求項１１】
前記購入手段データの前記送信に加えて、車両識別番号又はライセンスプレート番号の少なくとも１つが送信される、請求項１０に記載の方法。
【請求項１２】
前記購入手段データを前記販売時点管理に送信する前に、前記自動車の乗員によって支払いが開始されることを必要とする、請求項１０に記載の方法。
【請求項１３】
前記購入手段データの前記送信後、前記販売時点管理への前記自動車のナビゲーションプロセスが開始される、請求項１０に記載の方法。
【発明の詳細な説明】
【技術分野】
【０００１】
本発明は、一般に、移動装置による、特に自動車で移動中の、金融取引を実現するための方法及び装置に関し、より詳細には、近距離無線通信（ＮＦＣ）基盤を介してこのような機能を提供することに関する。
【背景技術】
【０００２】
移動装置を使用して物を購入する場合、個人購入手段情報、例えばクレジット／デビットカード情報を通信することがやりにくい場合がある。これは特に、自動車の運転中には困難である。商人が注文処理中に支払いを要求する場合、何らかの形式の金銭的交換が行われる必要がある。
【０００３】
半導体技術における近年の発達、特に極度に薄い基板はまた、チップが、現在使用されているクレジットカードと物理的に同様の持ち運びに便利なカード内に相当の複雑さを有する電子回路を包含するのに適した相当の機械的柔軟性及び堅牢性を備えて製作されることを可能にしている。無線通信能力を備えた非接触型クレジット／デビットカードを提供することは、ＵＳ７，１２８，２７４Ｂ４から一般に知られている。こうしたカードは、カードが端末から数センチ以内にある場合に販売時点管理（ポイント・オブ・セール）端末への情報の転送を可能にする埋め込み式の電子部品を有する。
【発明の概要】
【発明が解決しようとする課題】
【０００４】
車両の使用中（乗客として）又は車両の運転中（運転者として）にクレジット／デビットカードの使用又は他の金融情報の伝送が可能であるように、特に運転者の注意を交通から大きく逸らすことなく、代替的通信配置を提供することが、本発明の目的である。本発明の更なる目的は、車両の使用中又は車両の運転中にクレジット／デビットカード又は金融情報の上述の使用を容易にする方法及び装置を提供することである。
【課題を解決するための手段】
【０００５】
この問題は、自動車の内側に設置される読取機を備えた自動車を提供することにより解決される。ここで、読取機は非接触型クレジットカード又はスマートカード型クレジットカード又はＮＦＣ使用可能ハンドセットの少なくとも１つの購入手段データを読取ることが可能である。読取機はさらに、自動車の無線通信インターフェースに接続される。無線通信インターフェースは販売時点管理へ購入手段データを送信することが出来る。自動車内の読取機は、場合により関連情報、特に金融取引情報が記憶される暗号方式又は近距離無線通信（ＮＦＣ）使用可能ハンドセット、例えば移動電話を使用することによって、例えば非接触型クレジットカード、スマートカード、特に購入手段データを記憶するためのメモリとしての磁気ストリップ及び／又は半導体チップを有するスマートカード上の関連情報を読取ることが出来る。好ましくは、読取機はまた、このようなカード又はハンドセットが読取機に存在するか若しくは存在したか又は読取機から取り除かれたかを判断する。読取機は、車両内の他のシステムに、特に安全に、関連情報を、例えば金融、クレジットカード情報を送信する。この情報は、車両から離れて商品を購入するために使用され得る。本発明によれば、読取機は、複数のクレジットカード／デビットカードを読み取り且つ／又はそれらと相互作用することが出来ることが好ましい。或いは、本発明によれば、１台の読取機が１枚のクレジットカード／デビットカードを読取り且つ／又はそれと相互作用することが出来るように車両内に複数の読取機が存在することが可能である。
【０００６】
さらに、本発明の全ての実施形態によれば、ユーザーが、特定の購入取引を行うために複数のクレジット／デビットカードの１つを選択出来ることが特に好ましい。さらに、本発明によれば、複数のクレジット／デビットカード又は複数のクレジット／デビット手段の１つが、特定の購入取引のための使用に好ましいものとして事前選択されることが好ましい。自動車がＧＰＳアンテナを備え且つ／又はＧＰＳ座標若しくはＧＰＳ位置データ（若しくは別の衛星ベースのナビゲーション若しくは複合衛星及び陸上ベースの地球測位システムによる位置データ）が利用可能な場合、本発明によれば、複数のクレジット／デビットカードの１つの事前選択（特定の購入取引のための使用に好ましいものとして）は、自動車の位置に依存することがさらに好ましい。これは、例えば、ユーザーが、自身の複数のクレジット／デビットカードの１つによってのみ１つ又は複数の駐車場に対して駐車料金を支払うことを好む場合、自動車の位置が１つ又は複数の駐車場に近いことが知られていれば、１つ又は複数のクレジット／デビットカードが事前選択され、且つ自動車の位置が例えばセルフサービス又はドライブインレストランに近いことが知られていれば、別のクレジット／デビットカードが事前選択されることを意味する。
【０００７】
本発明の全ての実施形態によれば、無線通信インターフェースは、広域通信インターフェースであることが好ましい。さらに本発明によれば、無線通信インターフェースが、ＧＳＭインターフェース（グローバル・システム・フォー・モバイル・コミュニケーション）又はＵＭＴＳインターフェース（ユニバーサル・モバイル・テレコミュニケーション・システム）の１つであることが好ましい。無線通信インターフェースが広域通信システムインターフェースであることの代替として、本発明によれば、無線通信インターフェースが、短距離通信インターフェース、例えばＮＦＣインターフェース（近距離無線通信）又はＢｌｕｅｔｏｏｔｈインターフェース又はＷＬＡＮインターフェース（無線ローカルエリアネットワーク）又はＩＳＯ１４４４３標準によるインターフェースまたはＩＳＯ１５６９３標準によるインターフェースの１つであることも好ましい。無線通信インターフェースはまた、広域通信標準及び短距離通信標準により通信することが可能な統合型インターフェースでもあり得る。
【０００８】
本発明の全ての実施形態によれば、無線通信インターフェースが、自動車の側視ミラー及び／又は自動車のドアパネルに少なくとも部分的に位置することがさらに好ましい。このような構成により、無線通信インターフェースが、通信相手、例えば販売時点管理の別の無線通信インターフェース（又はそのアンテナ）の非常に近くに移動され得ることが有利に可能である。
【０００９】
本発明の全ての実施形態によれば、自動車が、ディスプレイ装置を備えることがさらに好ましい。好ましくは、ディスプレイ装置は、無線通信インターフェースにより送信される値段情報を表示する。それにより、非常に快適な方法の商品又はサービスの支払いが、自動車内のユーザーのために利用出来ることが有利に可能である。ディスプレイは、好ましくは、所謂センターディスプレイである。このようなディスプレイは、通常、運転者の座席と乗客の座席との間に位置し、且つ運転者及び乗客の両者により（及び場合により運転者／乗客の後ろに座る乗客によっても）見られ又は観察されることが出来る。
【００１０】
読取機を自動車内に設置して提供することが、本発明の別の目的である。ここで読取機は、非接触型クレジットカード又はスマートカード型クレジットカード又はＮＦＣ使用可能ハンドセットの少なくとも１つの購入手段データを読取ることが可能である。読取機はさらに、自動車の無線通信インターフェースに接続される。無線通信インターフェースは、購入手段データを販売時点管理に送信することが出来る。本発明によれば、読取機が、複数のクレジットカード／デビットカードを読取り且つ／又はそれらと相互作用することが出来ることが好ましい。さらに、ユーザーが、特定の購入取引を行うために複数のクレジット／デビットカードの１つを選択出来ることが好ましい。代替的に、本発明によれば、１台の読取機が、１枚のクレジット／デビットカードを読取り且つ／又はそれと相互作用することが出来るように、自動車内に複数の読取機が存在することが可能である。
【００１１】
自動車内の購入手段データの利用を容易にする方法を提供することが、本発明の別の目的である。ここで、第１のステップにおいて、非接触型クレジットカード若しくはスマートカード型クレジットカード又はＮＦＣ使用可能ハンドセットの少なくとも１つの購入手段データが、読取機によって読取られ、且つ第２のステップにおいて、購入手段データが、自動車の無線通信インターフェースを介して販売時点管理に送信される。本発明によれば、読取機は、複数のクレジットカード／デビットカードを読取り且つそれらと相互作用することが出来ることが好ましい。さらに、ユーザーが、特定の購入取引を行うために、複数のクレジット／デビットカードの１つを選択出来ることが好ましい。
【００１２】
本発明によれば、自動車のディスプレイ、特に自動車のセンターディスプレイ上で、購入操作に関連する情報が表示されることが好ましい。このような情報は、本発明によれば、１つ又は複数の以下の情報またはその一部を含むことが出来る。  
・購入オプション
・支払い金額／値段情報
・ＰＯＩ関連（ポイント・オブ・インタレスト関連）メニューオプション
・例えばＰＯＩ（ポイント・オブ・インタレスト）への、運転指示
・例えば、注文利用可能性を明確にするための、ＥＴＡ（到着予定時刻）関連情報
・選択及び／又は値段のメニュー等の駐車オプション、駐車場への指示、時間利用可能性
・特に販売時点管理に関する、自動車の位置によって利用可能なクーポン
【００１３】
本発明の全ての実施形態によれば、購入手段データの送信に加えて、車両識別番号又はライセンスプレート番号の少なくとも１つが送信されることが好ましい。それにより、自動車の乗員への品物の配達を制御することが有利に可能である。
【００１４】
さらに本発明の全ての実施形態によれば、購入手段データを販売時点管理に送信する前に、自動車の乗員によって支払いが開始される必要があることが好ましい。それにより、購入操作と関係付けられる金融取引のセキュリティレベルを向上させることが有利に可能である。
【００１５】
本発明の全ての実施形態によれば、購入手段データの送信後、販売時点管理への自動車のナビゲーションプロセスが開始されることもさらに好ましい。それによりさらに、自動車内のユーザーにより快適な移動商業取引の利用を提供することが有利に可能である。
【００１６】
次に本発明は、図面に従って説明される。
【図面の簡単な説明】
【００１７】
【図１】本発明の第１の実施形態を示す。
【図２】本発明の第２の実施形態を示す。
【図３】本発明の第３の実施形態を示す。
【図４】本発明の第４の実施形態を示す。
【発明を実施するための形態】
【００１８】
図１は、本発明の第１の実施形態を示す。車両８は、札入れ２が置かれている又はそれに近接する読取機１を備える。
【００１９】
札入れ２は、少なくとも１つの非接触型クレジットカードを備える。ＮＦＣを介して、関連金融情報は、好ましくは安全に、クレジットカードから読取機１を備える自動車内のシステム（不図示）に転送される。システムは、個々のクレジットカード及び／又はクレジットカードからの情報が表示される、例えばナビゲーションシステムのために従来から用いられるディスプレイ３に接続され又はそれを備える。システムは、好ましくは、支払いに関して所定のクレジットカードを選択するための手段を備える。クレジットカード情報は、次に、車両８から商人９又は銀行の受信機４へ転送され、その結果、支払われる金額が、クレジットカード及び／又は関連の口座から引き落とされる。支払われる金額は、好ましくは、車乗員により観察され得る商人所有のディスプレイ６に表示される。好ましくは、支払いの転送は、車乗員が支払いを開始した後にのみ実行される。参照番号５は、車両と商人又は銀行との間のインターフェースを示す。
【００２０】
情報の伝送５は、購入取引システム又は支払い取引システムを用いて、無線基盤を介して、例えば、ＧＳＭ（グローバル・システム・フォー・モバイル・コミュニケーション）、ＵＭＴＳ（ユニバーサル・モバイル・テレコミュニケーション・システム）、ＷＬＡＮ（ワイヤレス・ローカル・エリア・ネットワーク）等の移動通信標準による無線通信リンクを介して、行うことが出来る。購入取引システム又は支払い取引システムは、好ましくは、インターネットベースのアクセス（例えばＩＰ（インターネットプロトコル）ベースのシステム又はネットワーク）を有するシステムである。
【００２１】
図２は、本発明の別の実施形態を示す。この事例では、関連金融情報は、好ましくは、ＮＦＣ使用可能であり且つ／又は接続システム７、例えばＢｌｕｅｔｏｏｔｈを介して車９の電子システムに接続される移動電話１２に記憶される。車との無線通信５内の商人タグ１０は、例えば車のディスプレイ３に表示される、支払われる値段を送信する。車両乗員が支払いを了承した後、それは例えば会計処理の呼び出しにより開始される。システムは、自動的に会計処理に関連金融情報を送信し、且つ支払いが承認又は拒絶された信号を受信する。この情報は、ディスプレイ３にも表示される。情報の全体的な交換は、好ましくは移動電話１２を介して行われる。支払いが確定した後、車両は、例えば受取り窓口に運転される。受取り窓口１１の近くで、支払われた金額が、好ましくは再び表示される。
【００２２】
図３は、本発明のさらに別の実施形態を示す。無線インターフェース、例えば移動電話１２を介して、潜在的な注文が受信され、且つ好ましくはディスプレイ３に表示される。無線インターフェースはまた、商人９及び／又は支払いシステムへの口頭での伝達も許容する。例えばマイクロホン１４を介して、車両乗員は、商人９に選択された注文を伝達し、且つ商人９は、注文を確認し、それは車両８内に設置されたスピーカー１５を介して聞くことが出来る。車両乗員は、次に、支払いを開始し、且つ好ましくは自動的に、商人９に車両識別番号（ＶＩＮ）及び／又はライセンスプレート番号（ＬＩＣ＃）１６を送信する。ＮＦＣ使用可能の且つ／又は接続システム１３、例えばＢｌｕｅｔｏｏｔｈを介して車８の電子システムに接続される移動電話１２は、金融取引に必要な金融情報を保持し、且つそれを商人９に送信する。支払いが承認された後、商人９は、品物が受け取られる受取り場所においてスピーカー１５を介して連絡する。商人９は、ＶＩＣ及び／又はＬＩＣ＃を知っているため、品物が間違った車に配達されることは排除され得る。
【００２３】
本発明の第４の実施形態が、図４に描写される。ポイント・オブ・インタレスト（ＰＯＩ）への通信は、無線通信、例えば移動電話１２を介して開始され、且つメニューは商人９から要求される。送信されるメニューは、車両のディスプレイ３に、又は移動電話１２のディスプレイに描写される。車両乗員は、例えばハンバーガーを選択し、且つ選択を送信する。商人９が選択を確認した後又は選択の直後、支払いが自動的に開始される。関連支払い情報は、ＮＦＣ使用可能の且つ／又は接続システム７、例えばＢｌｕｅｔｏｏｔｈを介して車８の電子システムに接続される移動電話に記憶され、且つ商人９及び／又は支払いシステムに転送される。支払いが確定した後、運転指示が車両８に、好ましくは車両８を商人９に案内するナビゲーションシステムに自動的に転送される。
【符号の説明】
【００２４】
１  読取機
２  札入れ
３  ディスプレイ、ナビゲーションシステムからのディスプレイ
４  受信機
５  伝送
６  ディスプレイ
７  移動電話と車の電子機器との接続
８  自動車
９  商人
１０  商人タグ
１１  受取り窓口
１２  移動電話
１３  Ｂｌｕｅｔｏｏｔｈ
１４  マイクロホン
１５  スピーカー
１６  ライセンスプレート番号
【図１】
2010061637.tif 000003
【図２】
2010061637.tif 000004
【図３】
2010061637.tif 000005
【図４】
2010061637.tif 000006
【外国語明細書】
2010061637.tif 000007
2010061637.tif 000008
2010061637.tif 000009
2010061637.tif 000010
2010061637.tif 000011
2010061637.tif 000012
2010061637.tif 000013
2010061637.tif 000014
2010061637.tif 000015
2010061637.tif 000016
2010061637.tif 000017
2010061637.tif 000018
2010061637.tif 000019
2010061637.tif 000020
2010061637.tif 000021
2010061637.tif 000022
2010061637.tif 000023
2010061637.tif 000024